(57)【要約】【課題】  印刷機に送られる枚葉紙の流れを、常に枚葉紙が圧胴のくわえ爪によって最適に案内されるように、枚葉紙の横位置決めができる装置を提供すること【解決手段】  評価・制御装置（２２）において、そこに保存されたくわえ爪系統（１７）の配置に関するデータと紙幅（Ｆ）とが比較され、枚葉紙（９）の横変位（Ｖ）の尺度とみなされる調整値が発生される。横変位（Ｖ）は、側部区域のくわえ爪（１８）／爪枕（１９）による枚葉紙（９）の保持を保証するようなものである。調整値は、横変位した描画位置の決定のために書込み装置(１６)に、かつ紙幅（Ｆ）に依存する枚葉紙案内部材（２７）を適応させるために調整ユニット（２５）に送られる。【選択図】  図３
2006015749.tif 000002
【特許請求の範囲】
【請求項１】
枚葉紙の保持のためのくわえ爪及び爪枕からなる少なくとも１つのくわえ爪系統を有する少なくとも１個の圧胴と、版胴に配置された印刷版の書込みのための装置とを備えた枚葉紙印刷機の枚葉紙の流れの横位置決め装置において、
圧胴（１２）のくわえ爪系統（１７）の配置が評価・制御装置（２２）に保存され、
加工される枚葉紙（９）の紙幅（Ｆ）が評価・制御装置（２２）に送られ、
評価・制御装置（２２）で紙幅（Ｆ）とくわえ爪系統（１７）の配置を比較することによって、枚葉紙（９）の横変位（Ｖ）の尺度とみなされる調整値が発生され、
横変位（Ｖ）が側部区域のくわえ爪（１８）／爪枕（１９）による枚葉紙（９）の保持を保証し、
調整値が、横変位した描画位置の決定のために書込み装置(１６)に、そして紙幅（Ｆ）に依存する枚葉紙案内部材（２７）を適応させるために調整ユニット（２５）に送られる
ように構成されていることを特徴とする装置。
【請求項２】
くわえ爪系統（１７）の配置について、くわえ爪（１８）／爪枕（１９）の幅（Ｂ）及びくわえ爪のピッチ（Ｔ）が保存されることを特徴とする請求項１に記載の装置。
【請求項３】
くわえ爪のピッチ（Ｔ）として、２つの隣接するくわえ爪（１８）／爪枕（１９）の中心線（２８）の間隔が保存されることを特徴とする請求項２に記載の装置。
【請求項４】
くわえ爪系統（１７）の配置に加えて、枚葉紙（９）の最小張出し（Ｕmind）が評価・制御装置（２２）に保存されることを特徴とする請求項１及び２に記載の装置。
【請求項５】
最小張出し（Ｕmind）が、枚葉紙（９）の横変位（Ｖ）の後に、枚葉紙（９）がちょうど隣接のくわえ爪（１８）／爪枕（１９）によって確実に案内されるような大きさを有することを特徴とする請求項４に記載の装置。
【請求項６】
横変位（Ｖ）がくわえ爪のピッチ（Ｔ）の２分の１に相当することを特徴とする請求項５に記載の装置。
【請求項７】
加工される主題が評価・制御装置（２２）に送られることを特徴とする請求項１に記載の装置。
【請求項８】
紙幅（Ｆ）とくわえ爪系統（１７）の配置との比較のほかに、主題の面隠蔽率が検出され、枚葉紙（９）の必要な横変位（Ｖ）の尺度として調整値が発生されることを特徴とする請求項１または７に記載の装置。
【請求項９】
枚葉紙の山（２）を担持する紙載せ板（６）に作用して、紙載せ板（６）を横に変位させる調整装置（２４）に、評価・制御装置（２２）の調整値が送られることを特徴とする請求項１に記載の装置。
【請求項１０】
枚葉紙案内部材（２７）が、枚葉紙の側端を整列する横ストップ（２６）として形成されていることを特徴とする請求項１に記載の装置。
【発明の詳細な説明】
【技術分野】
【０００１】
本発明は、少なくとも１個の圧胴を有し、圧胴がくわえ爪及び爪枕からなる枚葉紙の保持のための少なくとも１つのくわえ爪系統を備え、かつ版胴に配置された印刷版の書込みのための装置を有する枚葉紙印刷機の枚葉紙の流れの横位置決め装置に関する。
【背景技術】
【０００２】
印刷機の印刷版及び印刷版の書込み方法が国際公開ＷＯ９０／０２０４４に記載されている。版胴に少なくとも１個のレーザ書込み可能な印刷版が配属され、版胴に対して軸方向に移動可能なレーザ装置によって印刷版に書込むことができる。このような印刷版は集合機械でも小型機械（欧州特許第８３５１８０号）でも使用され、レーザ書込みシステムによって印刷機で直接書込まれる。その場合印刷版の書込みは、自動的に機械の中心に対して対称に行われる。従って枚葉紙の流れは、枚葉紙が機械の中心を通って送られるように印刷機に位置決めされる。
【０００３】
圧胴のくわえ爪の配置及び爪幅と爪の相互間隔の関係によっては、所定の紙幅の加工の際に枚葉紙を保持するくわえ爪群の最も外側のくわえ爪の脇に枚葉紙が張り出すことになる。くわえ爪によって保持されないこの張出しは、ダブリの原因である。このダブリ現象は特に薄い印刷材料を加工する場合や、側部区域のフルトーン濃度が高い場合に起こる。
【０００４】
枚葉紙の側部区域が圧胴のくわえ爪によって把持されて確実に案内されるように、オペレータが加工される印刷材料の紙幅に基づき枚葉紙の流れを偏心に位置決めすることによって、ダブリ現象を取り除くことができる。印刷版の書込みの際に、枚葉紙の横変位に基づき枚葉紙の偏心送りが考慮されるように、レーザ書込みシステムをプログラムしなければならない。この方法は手数がかかり、主観的過誤を免れない。
【特許文献１】国際公開パンフレットＷＯ９０／０２０４４
【特許文献２】欧州特許公報ＥＰ８３５１８０Ｂ１
【発明の開示】
【発明が解決しようとする課題】
【０００５】
本発明の課題は、印刷機に送られる枚葉紙の流れを、常に枚葉紙が圧胴のくわえ爪によって最適に案内されるように、横位置決めすることを保証する装置を提供することである。
【課題を解決するための手段】
【０００６】
この課題は本発明に基づき請求項１の特徴に基づく装置によって実現される。
【０００７】
本発明に基づく解決策は、枚葉紙印刷機での枚葉紙の運動が圧胴のくわえ爪系統の配置に常に最適に適応することを可能にする利点がある。この適応は加工される枚葉紙の紙幅及び／又は枚葉紙に被着される主題のインキ分配度を考慮して行われる。圧胴のくわえ爪系統を考慮して枚葉紙の運動を最適化することによって、ダブリを確実に回避することができる。枚葉紙の運動の最適化は、オペレータに関係なく行われるから、主観的過誤を回避することができる。
【発明を実施するための最良の形態】
【０００８】
実施例に基づき発明を詳述する。
【０００９】
本発明に基づく解決策を集合機械について説明する。しかしこの解決策を別の構成の機械で実現することも可能である。
【００１０】
図１に枚葉紙の山２を有する給紙装置１、テープフィーダ３、紙差し側印刷装置４及び後続印刷装置５が示されている。枚葉紙の山２は、牽引手段７に配置された紙載せ板６の上にある。枚葉紙の山２の上側に紙さばき８が配属され、枚葉紙の山２からそれぞれ最も上の枚葉紙９を分離して、テープフィーダ３へ搬送する。テープフィーダ３によって枚葉紙９が紙差し側印刷装置４へ送られる。紙差し側印刷装置４について、給紙胴１１に後置されたスイングフィーダ１０が示されている。給紙胴１１は圧胴１２と連動する。圧胴１２にゴム胴１３が配属されている。圧胴１２は少なくとも１組のくわえ爪系統１７を備えている。くわえ爪系統１７は間隔をおいて並列して配置されたくわえ爪１８からなり、くわえ爪１８は爪枕１９に対応する。外周面に印刷版１５を設けた版胴１４はゴム胴１３と連結される。版胴１４に対して軸方向に移動可能な書込み装置１６によって印刷版１５に書込まれる。紙差し側印刷装置４の圧胴１２に紙移し円筒２０が後置され、後続印刷装置５の圧胴１２と連動する。後続印刷装置５の圧胴１２に同じくゴム胴１３及び印刷版１５を有する版胴１４が配属される。後続印刷装置５の印刷版１５も同じく装置１６によって書込むことができる。
【００１１】
図２に印刷機の平面概略図を示す。紙幅Ｆ1の枚葉紙の山２が給紙装置１に、機械の中心線２１に対して対称に配置されている。同様に圧胴１２のくわえ爪系統１７も機械の中心線２１に対して対称に支承され、版胴１４の上にある印刷版１５は機械の中心線２１に対して対称に書込まれる。
【００１２】
図３にくわえ爪１８と爪枕１９からなるくわえ爪系統及び紙幅Ｆ1を有する枚葉紙９の平面部分図を示す。くわえ爪１８／爪枕１９は幅Ｂ及び爪ピッチＴを有する。なお爪ピッチＴとは、２つの隣接するくわえ爪／爪枕１９の中心線の間隔２８を意味する。図で分かるように、枚葉紙９は機械の中心線２１に対して対称の位置で、くわえ爪系統１７によって、両側に張出しＵが生じるように保持される（実線図）。この両側の張出しＵはダブリの原因である。枚葉紙９に転写される主題が一方又は両方の張出しＵに大きな色濃度値とともに大きなインキタックを有するならば、ダブリの傾向が一層大きくなる。張出しＵが生じないように、紙幅Ｆ1の枚葉紙９をくわえ爪系統１７に偏心に送れば（破線図）、ダブリの可能性がなくなる。
【００１３】
図４、５及び６に異なる紙幅Ｆ2、Ｆ3、Ｆ4の別の枚葉紙９が示されている。
【００１４】
図４には、張出しＵmindが実現されるような寸法の紙幅Ｆ2を有する枚葉紙９が示されている。この張出しＵmindは、横変位Ｖ＝Ｔ／２の偏心加工が辛うじて行える張出しである。そこでＵ≧Ｕmind＝Ｔ／２−Ｂ＋Ｉmindでなければならない。ここに最小締付け長さＩmindは、枚葉紙９が１対のくわえ爪１８／爪枕１９によって保持される長さである。
【００１５】
図５には紙幅Ｆ3の枚葉紙９が示されている。その場合紙幅Ｆ3は、張出しＵがＵmindより小さくなるように定められている。非拘束の側部区域によって引き起こされるダブリを回避するための枚葉紙９の偏心配置が、これで取り除かれることはない。
【００１６】
図６には、中心加工の場合張出しＵが隣接するくわえ爪１８／爪枕１９の対によってとても把持されないような大きな紙幅Ｆ4を有する枚葉紙９が示されている。枚葉紙９の偏心配置によって実際張出しＵを最小化することができる（破線図）。図３ないし６では枚葉紙９が左側へずらされる。枚葉紙９を右側へずらすことも可能である。
【００１７】
印刷機及び書込み装置１６の制御のために、評価・制御装置２２が設けられている。この評価・制御装置２２に圧胴１２のくわえ爪系統１７の配置と最小締付け長さＩmindが保存される。入力装置２３により、加工される枚葉紙材料の紙幅Ｆを評価・制御装置２２に送ることができる。また評価・制御装置２２に、印刷される主題のデータが送られる。評価・制御装置２２はとりわけ書込み装置１６に接続され、また紙載せ板６と枚葉紙の山２を機械の中心線２１に対して横に変位させる調整装置２４に接続されている。また評価・制御装置２２は調整ユニット２５に接続されている。調整ユニット２５は枚葉紙案内部材２７を調整するためのものである。枚葉紙案内部材２７の位置は、加工される枚葉紙９の紙幅Ｆに依存する。枚葉紙案内部材２７として、図２に例えば枚葉紙の側辺を整列する横ストップ２６が示されている。
【００１８】
版を変更するときは、枚葉紙１を給紙装置１の中心に送入する。次に手操作で入力装置２３により紙幅Ｆを評価・制御装置２２に入力する。加工される枚葉紙９の紙幅Ｆを例えば給紙装置１に設けたセンサで検出し、評価・制御装置２２に送ることも可能である。
【００１９】
評価・制御装置２２で紙幅Ｆと、評価・制御装置２２に保存された圧胴１２のくわえ爪系統１７の配置及び最小張出しＵmindとが比較される。偏心加工によって張出しＵが最小化され、枚葉紙９の側部区域がくわえ爪１８／爪枕１９によって確実に案内されることがこの比較で確認されると、評価・制御装置２２によって枚葉紙９の横変位Ｖのための尺度として調整信号が発生される（図３、４、６のＦ1、Ｆ2、Ｆ3）。横変位Ｖ＝Ｔ／２を選べば好都合である。しかしこれと異なる横変位Ｖの値を選ぶこともできる。
【００２０】
評価・制御装置２２によって発生された調整信号は書込み装置１６、調整装置２４及び調整ユニット２５に送られる。書込み装置１６では、調整信号によって横描画位置が横変位Ｖに適応させられる。調整装置２４に送られる調整信号によって、紙載せ板６及び枚葉紙の山２が横変位Ｖの分だけ偏心して位置決めされ、調整ユニット２５に送られる調整信号によって、紙幅Ｆに依存するすべての枚葉紙案内部材の位置が横変位Ｖに適応させられる。
【００２１】
紙幅Ｆのほかに、加工される主題の面隠蔽率を考慮することも可能である。例えば紙幅Ｆ3（図５）を加工する場合は、評価・制御装置２２によって、紙幅Ｆ3だけを考慮するのであれば、中心加工が実現される。しかし加工する予定の主題が例えば右側張出しＵの内部に高い色密度を有するが、左側の張出しＵでは小さな色密度が予定されるならば、中心加工では枚葉紙９が右側にダブリの傾向を生じることになる。ところが評価・制御装置２２で主題も考慮するならば、左側に修正張出しＵｋを実現することができ、右側張出しＵを最小化し又はゼロにすることができる。こうして枚葉紙９の右側、即ちインキのタックが高い区域が確実に案内されるから、この区域のダブリが回避される。例えば紙幅Ｆ4（図６）の枚葉紙９を加工する場合も、同様に処理することができる。例えば右側区域で相応の面隠蔽率によりインキのタックが高ければ、インキのタックが高い側部区域がくわえ爪１８／爪枕１９の対によって確実に保持されるように、枚葉紙９を送ることが好ましい（図６の破線図）。
【図面の簡単な説明】
【００２２】
【図１】枚葉紙印刷機の側面部分図である。
【図２】図１の枚葉紙印刷機の平面概略図である。
【図３】種々の紙幅の枚葉紙の位置を示す図である。
【図４】種々の紙幅の枚葉紙の位置を示す図である。
【図５】種々の紙幅の枚葉紙の位置を示す図である。
【図６】種々の紙幅の枚葉紙の位置を示す図である。
【図７】装置の概要図である。
【符号の説明】
【００２３】
１  給紙装置
２  枚葉紙の山
３  テープフィーダ
４  紙差し側印刷装置
５  後続印刷装置
６  紙載せ板
７  牽引手段
８  紙さばき
９  枚葉紙
１０  スイングフィーダ
１１  給紙胴
１２  圧胴
１３  ゴム胴
１４  版胴
１５  印刷版
１６  書込み装置
１７  くわえ爪系統
１８  くわえ爪
１９  爪枕
２０  紙移し円筒
２１  機械の中心線
２２  評価・制御装置
２３  入力装置
２４  調整装置
２５  調整ユニット
２６  横ストップ
２７  枚葉紙案内部材
２８  中心線
Ｂ  幅
Ｔ  爪のピッチ
Ｆ  紙幅
Ｆ1  紙幅
Ｆ2  紙幅
Ｆ3  紙幅
Ｆ4  紙幅
Ｉmind  最小締付け長さ
Ｖ  横変位
Ｕ  張出し
Ｕｋ  修正張出し
Ｕmind  最小張出し
【図１】
2006015749.tif 000003
【図２】
2006015749.tif 000004
【図３】
2006015749.tif 000005
【図４】
2006015749.tif 000006
【図５】
2006015749.tif 000007
【図６】
2006015749.tif 000008
【図７】
2006015749.tif 000009